(57)【要約】      （修正有）【課題】発電機を回転駆動させるインバータ消費電流よりも、自家発電電流を増量する、省エネルギー発電。【解決手段】複数の逆起電流４極磁石ロータ発電モータ１と複数の逆起電流４極鉄芯ロータ発電モータ２の出力集合により、強い回転力と同時に発電電流集合の、交流電気のまま増量するシステム。４極磁石ロータ発電モータ１の一台の入力端子に回転駆動インバータ４を接続して回転させる。【選択図】図１
2010166796.tif 000002
【特許請求の範囲】
【請求項１】
逆起電流が出力する、４極磁石ロータ発電モータと４極鉄芯ロータ発電モータを各、３台を１台の架台に設置して固定、４極磁石ロータ発電機モータは同径のプーリとプーリベルトで３台を連結します、配線は出力端子に三相電線を３台とも結線して末端を、集合端子に３台とも結線、４極鉄芯ロータ発電機モータは、出力端子に三相電線を３台とも結線して末端を、集合端子に３台とも結線しますこれで６台の発電機の出力電線が集合出来ました、４極磁石ロータ発電モータ１台の入力端子に、交流三相２００Ｖのインバータ三相出力電線を結線して、電源を入れると６台が同時に回転します、同じ方向に回転させます、三相出力集合端子から、ダウントランス入力端子に三相電線を結線、ダウントランス出力端子から三相電線を配線して、安全ブレーカに結線同じ所に電圧計も取り付ける、自家発電電気を三相インバータで使用する。逆起電流発電モータを使用して、交流のまま電流増量発電が出来る事を特徴とする発明です。
【請求項２】
逆起電流４極磁石ロータ発電モータのロータ部、永久磁石は扇型で厚さ１０ミリで、中央穴あきで、左右に深さ３ミリの長さ１０ミリの段があるネオジム磁石を７枚使用、中央の穴にロータの端から端までの長さのステンレスネジを使います、このネジは磁石が倒れないように、同じ間隔で列に並ぶように１枚１枚ナットで押さえます、１０ミリの段の所は極仕切り板の上部の、ステンレスフラットバー磁石押さえが当たる所で飛び出ないように、１列に組んだのが４極磁石ロータの１極の作り方です、磁石の枚数は固定コイルのヨークの長さによります、扇型の外周と回転軸側の内周との高さを出したのは発電力を高めるためです、又  大型の逆起電流４極磁石ロータ発電モータを製作には電磁石を。
【発明の詳細な説明】
【技術分野】
【０００１】省エネルギー発電
【発明の概要】
【発明が解決しようとする課題】
【０００２】大型の発電機の代わりに、電気を整流しないで小さな発電機多数で増量発電と省エネルギー発電。
【課題を解決するための手段】
【０００３】逆起電流４極鉄芯ロータ発電モータ、逆起電流４極磁石ロータ発電モータも三相の交流インバータ出力電気で、回転と発電を同時に出来るモータです、４極同士なら大きさの違う発電モータでも回転します、６極なら６極同士の発電、８極なら８極同士の発電になります。【０００４】逆起電流４極磁石ロータ発電モータは、出力電線を集合結線したときに回転方向を同じにする事と、回転軸にプーリを付けて２台なら手で回して軽く回ったら、タイミングが合った事に成るが、３台、４台だと手では回せませんので、インバータ出力を一瞬だけ１台の磁石ロータ発電モータの入力線に流すと、設置した発電モータが回転して止まります、この時にタイミングが合いましたから、プーリベルトを隣同士架けて全モータを連動させると、手で軽く回転します、鉄芯ロータは出力電線を繋いだら同方向に回転するかだけです、一瞬電源を入力線に流してモータが回転しなかったらどれか結線が違うのです。【０００５】磁石ロータ発電モータと鉄芯ロータ発電モータと組み合わせましたが、磁石ロータ発電モータだけのシステムでもいいですし、鉄芯ロータ発電モータだけでもいいです、又  両方のシステムとも、何台でも増設できるシステム。【０００６】逆起電流４極鉄芯ロータ発電モータは、インバータ回転の他に回転させる方法は、出力電線に三相２００Ｖ電源を安全ブレーカから直接に流すと、回転と発電をします、逆起電流は入力線から１５０Ｖ程の電気が出力します。【０００７】扇型磁石は、固定コイルのヨーク側が扇型の円形になり、回転軸側は円形でも直線型でもよい、扇型磁石の特徴として厚さが１０ミリで、固定コイルのヨーク内周の４分の１の長さで回転方向に扇型とします、扇型ネオジム磁石には中央に穴５ミリが開けてあり、この穴に磁石ロータの端と端に取り付けた磁石押さえの円盤の距離より１０ミリ程長い、ステンレス全ネジボルトをステンレス円盤磁石押さえに開けた穴の外側から、ステンレス全ネジボルトを差し込んで、扇型磁石の穴にボルトを通す、１枚ずつナットで固定、反発し合うので間隔も一定に保ちます、扇型磁石の、厚みと、扇型磁石の外周と内周の高さが重要です、高い程強い逆起電流と自走強力回転です。【０００８】扇型ネオジム磁石の、１磁石極に差し込む枚数は固定コイルのヨーク積層の長さに合わせます、枚数を多くしても回転時に消費電流が上がります、少なくすると１Ａを下回る電流で回転はしますが、逆起電流は少ししか出ません。【０００９】逆起電流４極磁石ロータ発電モータと逆起電流４極鉄芯ロータ発電モータの入力端子モータ内部コイル結線は、ＵＶＷの中性点、Ｕを１番、Ｖを２番、Ｗを３番、としてＵと３番、Ｖと１番、Ｗと２番、と入力端子に結線します。
【図面の簡単な説明】
【００１０】
【図１】逆起電流４極磁石ロータ発電モータと逆起電流４極鉄芯ロータ発電モータの電流増量発電機架台配置と電流の流れ。
【図２】扇型磁石ロータの組み立て全体図。
【実施例】
【００１１】４極磁石ロータ、３台と４極鉄芯ロータ、３台の６台出力線集合増量発電をしました、インバータ出力を４極磁石ロータ発電モータ１台の入力線に流しました、回転と発電を始めます、自家発電した逆起電流は集合端子から、ダウントランスに、そこから出力用のインバータに、そこから負荷を掛ける溶接機に電線を結線し、４ミリ溶接棒を溶かしてみました、使用したインバータは発電機回転用に、２２ＫＷインバータ、ダウントランス三相は１５ＫＷ、自家発電出力には、１５ＫＷインバータを使用しました、４ミリ溶接棒を溶かして負荷を掛けて各出力に電流計を付けて計測しました、発電回転用インバータは４２Ａ溶接機側出力は２２０Ａでした、計１７８Ａの電気増量に成りました。
【産業上の利用可能性】
【００１２】逆起電流発電モータは新しい発電として、風力発電、太陽電池パネル発電燃料電池発電、などの出力電気を電流増量発電システムで５倍にして使用する、エアコンのモータ部に使用して発電し、エアコン入力電気を半分絞って、絞った分を自家発電した電気を混ぜて省エネルギーで使用、又
この発明は、電気自動車に最適です。
【符号の説明】
【００１３】１．    逆起電流４極磁石ロータ発電モータ
２．    逆起電流４極鉄芯ロータ発電モータ
３，    ６台集合  出力端子
４．    回転駆動インバータ三相２００Ｖ
５．    三相４００Ｖから２００Ｖのダウントランス
６．    出力インバータ
７．    電圧計
８．    入力端子
９．    出力端子
１０．  ステンレスの磁石極仕切り材と一体型フラットバー磁石押さえ
１１．  ネオジム扇型磁石
１２．  ステンレスボルト通し穴
１３．  冷却ファン板ステンレス材、溶接固定
１４．  両端材磁石押さえ
１５．  回転軸
１６．  電流の流れの矢印線
１７．  発電モータ設置台
１８．  プーリベルト
１９．  出力安全ブレーカ
２０．  入力２００ｖ交流三相電線
２１．  磁石の高さ
２２．  磁石極仕切り、と両端磁石押さえを溶接するステンレスパイプ
２３．  磁石隙間調整ステンレス  ナット
【図１】
2010166796.tif 000003
【図２】
2010166796.tif 000004